(57)【要約】  【課題】  封入物の残量を目視で確認でき、封入物が少なくなった際に外部から力を及ぼして強制的に排出可能な噴射容器を得る。  【解決手段】  本発明は、少なくとも気体もしくは液体を含む封入物３０を外部の気圧より高圧で充填し、バルブ６を開けることにより、充填されていた封入物３０を外部に噴射できる噴射容器１であって、封入物３０を充填可能であって外部に露出している伸縮袋体２と、伸縮袋体２の開口側に固定される蓋部材３とを備え、伸縮袋体２を、弾性的に伸縮すると共に透明若しくは半透明な袋体とする噴射容器１に関する。【選択図】図２
2015020795.tif 000002
【特許請求の範囲】
【請求項１】
少なくとも気体もしくは液体を含む封入物を外圧より高圧で充填し、バルブを開けることにより、充填されていた上記封入物を外部に噴射できる噴射容器であって、
上記封入物を充填可能であって外部に露出している伸縮袋体と、
上記伸縮袋体の開口側に固定される蓋部材と、
を備え、
上記伸縮袋体は、弾性的に伸縮すると共に透明若しくは半透明な袋体であることを特徴とする噴射容器。
【請求項２】
前記伸縮袋体は、前記封入物を最大５メガパスカルの噴射圧にて外部に噴射可能に、前記封入物を充填していることを特徴とする請求項１に記載の噴射容器。
【請求項３】
前記伸縮袋体の外面の一部に、容器を載置する場所に保持するための保持部を備えることを特徴とする請求項１または請求項２に記載の噴射容器。
【請求項４】
前記保持部は、前記伸縮袋体から着脱自在に構成されていることを特徴とする請求項３に記載の噴射容器。
【請求項５】
前記保持部は、前記蓋部材側を覆うキャップを兼ねることを特徴とする請求項４に記載の噴射容器。
【請求項６】
前記キャップを複数備え、当該複数のキャップの少なくとも１つを前記保持部とすることを特徴とする請求項５に記載の噴射容器。
【請求項７】
前記保持部は、前記伸縮袋体の底部に備える台座であることを特徴とする請求項３から請求項６のいずれか１項に記載の噴射容器。
【請求項８】
前記保持部は、容器の側面から突出する突出部であることを特徴とする請求項３から請求項６のいずれか１項に記載の噴射容器。
【請求項９】
前記伸縮袋体は、その伸縮の程度に応じて視認容易性を互いに補完し合う複数の表示部を備えることを特徴とする請求項１から請求項８のいずれか１項に記載の噴射容器。
【請求項１０】
前記伸縮袋体は、その内部に芯材を備えることを特徴とする請求項１から請求項９のいずれか１項に記載の噴射容器。
【請求項１１】
前記芯材は、前記伸縮袋体から視認可能な内方表示部を備えることを特徴とする請求項１０に記載の噴射容器。
【発明の詳細な説明】
【技術分野】
【０００１】
本発明は、封入物を噴射する噴射容器に関する。
【背景技術】
【０００２】
従来から、殺虫・防虫剤、化粧料、消火剤などの封入物を噴霧させるスプレー式の容器として、容器内に圧縮気体によって加圧された液剤を細い管を通して外部に噴射させる、いわゆるエアゾール製品が知られている。かかる従来から公知のエアゾール製品は、通常、耐圧構造を持つ金属缶を用いているため、封入物を目視で確認するのは困難である。かかる理由から、金属缶を持ち上げあるいは振るなどして、封入物の残量を推測するのが一般的である。
【０００３】
一方、耐圧構造を有する金属缶を用いずに、伸縮自在な袋体に封入物を充填し、当該袋体を容器内に入れたものも知られている（例えば、特許文献１を参照）。この容器は、側面に窓を備え、窓を通して容器内の袋体の大きさを確認することにより、封入物の残量を推測することができる。
【先行技術文献】
【特許文献】
【０００４】
【特許文献１】特開平４−１０２５６６号公報
【発明の概要】
【発明が解決しようとする課題】
【０００５】
しかし、上記特許文献１に開示される容器には、次のような問題がある。封入物が少なくなるに伴い容器内の袋体が収縮して小さくなると、袋体が容器の内壁から離れるため、窓を通じて袋体の大きさを目視で確認することが困難になる。このため、封入物の残量が推測困難になる。また、袋体を容器で覆っているため、封入物が少なくなったときに、袋体の内部から強制的に封入物を外部に排出することができず、封入物を残したまま容器ごと廃棄せざるを得ない。
【０００６】
本発明は、上記のような問題を解決するためになされたものであり、封入物の残量を目視で確認でき、封入物が少なくなった際に外部から力を及ぼして強制的に排出可能な噴射容器を提供することを目的とする。
【課題を解決するための手段】
【０００７】
上記目的を達成するための本発明の一形態は、少なくとも気体もしくは液体を含む封入物を外圧より高圧で充填し、バルブを開けることにより、充填されていた封入物を外部に噴射できる噴射容器であって、封入物を充填可能であって外部に露出している伸縮袋体と、伸縮袋体の開口側に固定される蓋部材とを備え、伸縮袋体を、弾性的に伸縮すると共に透明若しくは半透明な袋体とした噴射容器である。
【０００８】
本発明の別の形態は、さらに、伸縮袋体には、封入物を最大５メガパスカルの噴射圧にて外部に噴射可能に封入物を充填している噴射容器である。
【０００９】
本発明の別の形態は、さらに、伸縮袋体の外面の一部に、容器を載置する場所に保持するための保持部を備える噴射容器である。
【００１０】
本発明の別の形態は、さらに、保持部を伸縮袋体から着脱自在に構成した噴射容器である。
【００１１】
本発明の別の形態は、さらに、保持部が蓋部材側を覆うキャップを兼ねる噴射容器である。
【００１２】
本発明の別の形態は、さらに、キャップを複数備え、複数のキャップの少なくとも１つを保持部とする噴射容器である。
【００１３】
本発明の別の形態は、また、保持部を、伸縮袋体の底部に備える台座とする噴射容器である。
【００１４】
本発明の別の形態は、また、保持部を、容器の側面から突出する突出部とする噴射容器である。
【００１５】
本発明の別の形態は、また、伸縮袋体にその伸縮の程度に応じて視認容易性を互いに補完し合う複数の表示部を備える噴射容器である。
【００１６】
本発明の別の形態は、また、伸縮袋体の内部に芯材を備える噴射容器である。
【００１７】
本発明の別の形態は、さらに、芯材には、伸縮袋体から視認可能な内方表示部を備える噴射容器である。
【発明の効果】
【００１８】
本発明によれば、封入物の残量を目視で確認でき、封入物が少なくなった際に外部から力を及ぼして強制的に排出可能な噴射容器を提供できる。
【図面の簡単な説明】
【００１９】
【図１】図１は、本発明の第一実施形態に係る噴射容器の斜視図（１Ａ）およびその噴射容器を面Ｓによって高さ方向に切断した際の同噴射容器の縦断面斜視図（１Ｂ）を、それぞれ示す。
【図２】図２は、図１の噴射容器に封入物を充填した状態の斜視図（２Ａ）、および封入物を充填した状態と噴射し終えた状態の噴射容器の変化を表す図１と同様の縦断面斜視図（２Ｂ）を、それぞれ示す。
【図３】図３は、本発明の第二実施形態に係る噴射容器の斜視図（３Ａ）およびその噴射容器のキャップを外して底部に取り付けた状態の噴射容器の斜視図（３Ｂ）を、それぞれ示す。
【図４】図４は、図３の噴射容器の変形例の斜視図（４Ａ）および当該変形例のキャップを外して底部に取り付けた状態の噴射容器の斜視図（４Ｂ）を、それぞれ示す。
【図５】図５は、本発明の第三実施形態に係る噴射容器の斜視図（５Ａ）、その噴射容器をテーブル等に載置した状態の斜視図（５Ｂ）、噴射容器に封入物を充填した状態の斜視図（５Ｃ）およびその封入物を充填した噴射容器をテーブル等に載置した状態の斜視図（５Ｄ）を、それぞれ示す。
【図６】図６は、図５に示す噴射容器の変形例の斜視図（６Ａ）、その変形例をテーブル等に載置した状態の斜視図（６Ｂ）、当該変形例の噴射容器に封入物を充填した状態の斜視図（６Ｃ）およびその封入物を充填した変形例の噴射容器をテーブル等に載置した状態の斜視図（６Ｄ）を、それぞれ示す。
【図７】図７は、本発明の第四実施形態に係る噴射容器の斜視図（７Ａ）およびその噴射容器に封入物を充填した状態の斜視図（７Ｂ）を、それぞれ示す。
【図８】図８は、本発明の第五実施形態に係る噴射容器を図１の面Ｓと同様の面で縦に切断したときの縦断面斜視図（８Ａ）、８Ａに示す噴射容器の変形例を上記面で縦に切断したときの縦断面斜視図（８Ｂ）および８Ａに示す噴射容器のさらなる変形例を上記面で縦に切断したときの縦断面斜視図（８Ｃ）を、それぞれ示す。
【図９】図９は、本発明の第六実施形態に係る噴射容器の斜視図（９Ａ）およびその噴射容器に封入物を充填した状態の斜視図（９Ｂ）を、それぞれ示す。
【図１０】図１０は、図９の噴射容器の変形例を図１の面Ｓと同様の面によって縦に切断したときの一部縦断面斜視図を示す。
【図１１】図１１は、本発明の第七実施形態に係る噴射容器の外部に商品やメーカー等の情報を付与する各種形態（１１Ａ〜Ｄ）を示す。
【発明を実施するための形態】
【００２０】
次に、本発明に係る噴射容器の各実施形態について、図面を参照しながら説明する。
【００２１】
＜第一実施形態＞
図１は、本発明の第一実施形態に係る噴射容器の斜視図（１Ａ）およびその噴射容器を面Ｓによって高さ方向に切断した際の同噴射容器の縦断面斜視図（１Ｂ）を、それぞれ示す。図２は、図１の噴射容器に封入物を充填した状態の斜視図（２Ａ）、および封入物を充填した状態と噴射し終えた状態の噴射容器の変化を表す図１と同様の縦断面斜視図（２Ｂ）を、それぞれ示す。
【００２２】
この実施形態に係る噴射容器１は、少なくとも気体もしくは液体を含む封入物３０を外圧より高圧で充填し、後述のアクチュエーター５につながるバルブ６を開けることにより、充填されていた封入物３０を外部に噴射できる容器である。封入物３０としては、気体のみ、液体のみ、気体と液体の混合物、気体と固体の混合物、液体と固体の混合物、気体と液体と固体の混合物のいずれかであれば特に制限無く、消火剤、防虫剤、殺虫剤、塗料、消臭剤、潤滑剤（例えば、防錆用のもの）、人体用消臭剤、制汗剤、医薬品、シェービングクリーム、ボディソープ、化粧料、食用油、液体調味料、頭髪用品、香水などを例示できる。噴射容器１は、封入物３０を充填可能であって外部に露出している伸縮袋体２と、伸縮袋体２の開口側に固定される蓋部材３と、を備える。伸縮袋体２は、弾性的に伸縮すると共に透明若しくは半透明な袋体である。伸縮袋体２は、好適には、封入物３０を最大５メガパスカルの噴射圧にて外部に噴射可能に、封入物３０を充填できる袋体である。ただし、伸縮袋体２からの封入物３０の噴射圧は、上記圧力に必ずしも限定されるものではない。
【００２３】
蓋部材３は、好適に、伸縮袋体２側に窪む凹部を有し、その凹部の略中央部に、上方に向かって突出する突出部４を有する。突出部４は、その上方に、伸縮袋体２側に向かって押し込み可能なアクチュエーター５を備える。アクチュエーター５は、その底部にバルブ６を有しており、そのバルブ６が突出部４の天面に形成された開口部を開閉できるように、突出部４の内部に挿入する形態にて突出部４の上部に配置されている。アクチュエーター５は、その上方の側面に形成される噴射口７を備える。噴射口７は、アクチュエーター５の内部に形成される経路８から突出部４の内部を経て、伸縮袋体２の内部空間２０へとつながっている。蓋部材３は、その裏側に、環状の固定部材９を備える。伸縮袋体２は、その開口部２１を蓋部材３の内壁と固定部材９との間で挟持し、バルブ６を閉じている限り内部空間２０と外部とを連通しないように、蓋部材３に固定されている。蓋部材３は、伸縮袋体２に充填される封入物３０を外部に漏らさないように開口部２１を閉塞する必要から、金属である方が好ましい。ただし、蓋部材３は、その構成材料に限定は無く、樹脂、セラミックスなどの金属以外の材料で構成されていても良い。
【００２４】
伸縮袋体２は、開口部２１から中央部２２を経て、略半球状に閉塞する閉塞部２３へと細長く形成された袋体である。開口部２１は、平均厚さｔ１の肉厚を持つ漏斗形状の部位である。中央部２２は、開口部２１の端部２５に連通し、平均厚さｔ２（＞ｔ１）の肉厚を持つ略円筒形状の部位である。閉塞部２３は、端部２５と反対側にある中央部２２の段部２６に連通し、平均厚さｔ３（＜ｔ２）の肉厚を持つ断面略Ｕ字形状の部位である。中央部２２の肉厚ｔ２を開口部２１および閉塞部２３の各肉厚ｔ１，ｔ３より大きくするのは、中央部２２の径方向への膨張を抑制し、伸縮袋体２が全体として球状に膨張しにくくするためである。伸縮袋体２の中央部２２が長さ方向に優先的に膨張することにより、伸縮袋体２が縦長に膨張し、その結果、噴射容器１を転がらないようにすることができる。伸縮袋体２の長さ方向中央部分の膨張を抑制するためには、少なくとも、伸縮袋体２における長さ方向の膨張可能な長さの中央の肉厚を、当該中央の両端側の肉厚より厚くすれば良い。この実施形態では、上記の「膨張可能な長さの中央」は、中央部２２に存在する。中央部２２の肉厚ｔ２は、伸縮袋体２の開口部２１の肉厚ｔ１や閉塞部２３の肉厚ｔ３をはじめ、伸縮袋体２の全ての肉厚の中で最も大きい。なお、伸縮袋体２の長さ方向中央部分の過度の膨張を防ぐ別の手段がある場合、例えば、ベルトやリングにより当該中央部分を囲む等の手段を講じた場合、あるいは伸縮袋体２の当該中央部分の膨張を抑制する必要のない場合には、上記各肉厚ｔ１，ｔ２，ｔ３の関係を採用しなくても良い。そのような場合、例えば、肉厚ｔ１，ｔ２，ｔ３をほぼ等しくするように伸縮袋体２を形成しても良い。
【００２５】
伸縮袋体２は、封入物３０を充填可能であって弾性的に伸縮する透明若しくは半透明な袋体であれば、特にその構成材料に制約は無く、例えば、シリコーンゴム、ウレタンゴム、イソプレンゴム、エチレンプロピレンゴム、天然ゴム、エチレンプロピレンジエンゴムあるいはスチレンブタジエンゴム等の熱硬化性エラストマー、ウレタン系、エステル系、スチレン系、オレフィン系、ブタジエン系あるいはフッ素系等の熱可塑性エラストマー、あるいはそれらの複合物等などから好適に構成される。また、伸縮袋体２は、封入物３０と接触しても容易に変性しないように、耐酸性若しくは耐アルカリ性、耐油性、耐溶剤性等の高い樹脂材料にて構成されるのが好ましく、例えば、フッ素系のゴムから好適に構成される。ただし、伸縮袋体２の内部表面に、フッ素コーティングを施し、伸縮袋体２自体の主材には、フッ素系のゴムよりも耐変性の低い材料、例えば、シリコーンゴムを用いても良い。また、封入物３０の化学的作用が弱いなどの場合には、弾力性に富むシリコーンゴムを伸縮袋体２の材料に用いるのが好ましい。本明細書において、「樹脂」は、ゴムも含むように広義に解釈される。また、「透明」および「半透明」の両文言は、透明度について両者間に特別な境界を持つものではなく、単に「半透明」の方が「透明」よりも透明度が低いという意味で異なるに過ぎず、両文言とも「不透明」を排除する意味で用いられている。よって、伸縮袋体２の内部空間２０に封入物３０あるいはそれ以外の物（封入物３０等）を入れたときに、伸縮袋体２の外部から封入物３０等をヒトの肉眼にて視認出来る限り、その伸縮袋体２は透明若しくは半透明な袋体であると解釈される。
【００２６】
噴射容器１は、伸縮袋体２の閉塞部２３側（すなわち、底部）に、台座１０を備える。台座１０は、伸縮袋体２の外面の一部に備えられ、噴射容器１を、それを載置する箇所に保持するための保持部の一例である。この実施形態では、台座１０は、金属あるいは硬質の樹脂材料から成り、伸縮袋体２側から載置する場所に接する側に向かって拡径する部材である。ただし、台座１０は、伸縮性に富むゴムなどから形成される吸盤であっても良い。台座１０は、その閉塞部２３側（すなわち、下方）を凹ませた凹部１１を備える。凹部１１は、その略中央に、下方に貫通する貫通孔１２を備える。伸縮袋体２の閉塞部２３は、その底部中央に、下方に突出形成される凸部２４を備える。凸部２４は、貫通孔１２より少し大きく形成されている。このため、凸部２４は、貫通孔１２に押し込むことにより貫通孔１２を容易に通過でき、貫通孔１２から簡単に外れないようにすることができる。凹部１１と閉塞部２３とは、接着剤を介在させて固定することもできる。かかる固定により、閉塞部２３をその径方向に膨張しにくくすることができ、その結果、伸縮袋体２が径方向に過度に膨張するのを抑制できる。なお、凹部１１、貫通孔１２および凸部２４は、必須の構成ではなく、台座１１および伸縮袋体２にそれぞれ形成しなくても良い。
【００２７】
＜第二実施形態＞
次に、本発明の第二実施形態に係る噴射容器について説明する。第二実施形態において、第一実施形態と共通する部分については、同じ符号を付し、重複した説明を省略する。
【００２８】
図３は、本発明の第二実施形態に係る噴射容器の斜視図（３Ａ）およびその噴射容器のキャップを外して底部に取り付けた状態の噴射容器の斜視図（３Ｂ）を、それぞれ示す。
【００２９】
第二実施形態に係る噴射容器１ａは、伸縮袋体２の底部に相当する閉塞部２３に、保持部としてのキャップ４０を着脱自在に備える点で、第一実施形態に係る噴射容器１ａと大きく異なる。閉塞部２３は、第一実施形態で説明した凸部２４と類似の構造を持つ凸部２４ａを備える。キャップ４０は、蓋部材３側（アクチュエーター５の上方）を覆う蓋としての役割も兼ね備える。キャップ４０は、その天面に、内側に窪む凹部４１を備える。凹部４１は、その略中央に、下方に貫通する貫通孔４２を備える。凸部２４ａは、貫通孔４２より少し大きく形成されている。このため、凸部２４ａは、貫通孔４２に押し込むことにより貫通孔４２を容易に通過でき、貫通孔４２から簡単に外れないようにすることができる。なお、凹部４１、貫通孔４２および凸部２４ａは、必須の構成ではなく、キャップ４０および伸縮袋体２にそれぞれ形成しなくても良い。その場合、例えば、キャップ４０の天面に突出部を形成し、閉塞部２３に内方に窪む凹部を形成し、それらを結合可能にしても良い。
【００３０】
図４は、図３の噴射容器の変形例の斜視図（４Ａ）および当該変形例のキャップを外して底部に取り付けた状態の噴射容器の斜視図（４Ｂ）を、それぞれ示す。
【００３１】
図４に示す噴射容器１ｂは、アクチュエーター５の上方に着脱自在に被せるキャップ４０のさらに上方から別のキャップである第二キャップ５０を被せ、当該第二キャップ５０を、噴射容器１ｂを載置場所に保持するための保持部として利用する容器である。すなわち、蓋部材３側を覆う二重のキャップの内の一方のキャップを保持具として利用している点で、前述の噴射容器１ａと異なる。第二キャップ５０は、その天面に、内側に窪む凹部５１を備える。凹部５１は、その略中央に、下方に貫通する貫通孔５２を備える。凸部２４ａは、貫通孔５２より少し大きく形成されている。このため、凸部２４ａは、貫通孔５２に押し込むことにより貫通孔５２を容易に通過でき、貫通孔５２から簡単に外れないようにすることができる。なお、凹部５１、貫通孔５２および凸部２４ａは、必須の構成ではなく、第二キャップ５０および伸縮袋体２にそれぞれ形成しなくても良い。その場合、例えば、第二キャップ５０の天面に突出部を形成し、閉塞部２３に内方に窪む凹部を形成し、それらを結合可能にしても良い。また、内側のキャップであるキャップ４０を保持部として利用し、第二キャップ５０を、蓋部材３側を覆うだけのキャップとして用いても良い。その場合、キャップ４０の構造を、前述の噴射容器１ａのキャップ４０と同様の構造とするのが好ましい。
【００３２】
＜第三実施形態＞
次に、本発明の第三実施形態に係る噴射容器について説明する。第三実施形態において、前述の各実施形態と共通する部分については、同じ符号を付し、重複した説明を省略する。
【００３３】
図５は、本発明の第三実施形態に係る噴射容器の斜視図（５Ａ）、その噴射容器をテーブル等に載置した状態の斜視図（５Ｂ）、噴射容器に封入物を充填した状態の斜視図（５Ｃ）およびその封入物を充填した噴射容器をテーブル等に載置した状態の斜視図（５Ｄ）を、それぞれ示す。
【００３４】
この実施形態に係る噴射容器１ｃは、伸縮袋体２の側面から突出する複数の突出部６０，６１を備える。この実施形態では、３個の突出部６０を伸縮袋体２の中央部２２の表面に形成し、１個の突出部６１を伸縮袋体２の閉塞部２３の表面に形成している。突出部６０は、（５Ｄ）に示すように、主に、封入物３０を充填した噴射容器１ｃをテーブルＧに載置したときに、噴射容器１ｃが転がらないようにするための構成である。突出部６０は、伸縮袋体２の周に沿って、完全なる環状ではなく、一部を欠いたＵ字あるいはＣ字形状で構成される方が好ましい。突出部６０の周方向の長さは、伸縮袋体２の伸縮設計に応じて適宜選択可能である。封入物３０を充填した状態の伸縮袋体２が蓋部材３よりもその径方向に膨張している場合、噴射容器１ｃを横向きにテーブルＧに載置すると、転がって、テーブルＧから落ちる可能性がある。しかし、突出部６０を形成すると、少なくとも２個の突出部６０の端部と、伸縮袋体２の中央部２２の側面の任意の点との３点で平面を形成できる。この結果、噴射容器１ｃの転がりを防止することが可能になる。なお、突出部６０は、伸縮袋体２の周方向に沿って完全に環状に形成し、その外周に平面を形成するようにしても良い。当該平面によって噴射容器１ｃの転がりを防止できるからである。また、突出部６０は、１個だけを設けても良い。その場合、突出部６０の端部と、中央部２２の側面の任意の２点とで平面を形成できる。
【００３５】
一方、突出部６１は、（５Ｂ）に示すように、主に、封入物３０を充填していない状態若しくは噴射し終えた状態の噴射容器１ｃをテーブルＧに載置したときに、噴射容器１ｃが転がらないようにするための構成である。突出部６１は、伸縮袋体２の周に沿って、完全なる環状ではなく、一部を欠いたＵ字あるいはＣ字形状で構成される方が好ましい。また、突出部６１の周方向の長さは、伸縮袋体２の伸縮設計に応じて適宜選択可能である。伸縮袋体２が蓋部材３よりも小径の状態の場合でも、噴射容器１ｃを横向きにテーブルＧに載置すると、転がって、テーブルＧから落ちる可能性がある。この場合、中央部２２に形成された突出部６０は、テーブルＧに接触せず、噴射容器１ｃの転がりを防止する機能を発揮し得ない場合がある。閉塞部２３の表面に突出部６１を形成すると、少なくとも１個の突出部６１の端部と、伸縮袋体２の閉塞部２３の側面の任意の点と、蓋部材３の任意の点との３点で平面を形成できる。この結果、噴射容器１ｃの転がりを防止することが可能になる。なお、突出部６１は、伸縮袋体２の周方向に沿って完全に環状に形成し、その外周に平面を形成するようにしても良い。当該平面によって噴射容器１ｃの転がりを防止できるからである。
【００３６】
このように、伸縮袋体２は、その外面に突出部６０，６１を形成することにより、伸縮袋体２が収縮している状態でも、あるいは膨張している状態でも、噴射容器１ｃがテーブルＧから転がり落ちないようにすることができる。突出部６０，６１は、伸縮袋体２の構成材料と同じ材料で形成し、あるいは異なる材料で形成しても良い。例えば、伸縮袋体２をシリコーンゴムで構成する場合、突出部６０，６１もシリコーンゴムで形成しても良い。その場合、突出部６０，６１を伸縮袋体２の製造時に一体成形で形成することもでき、あるいは伸縮袋体２とは別の工程で成形して、伸縮袋体２に接着しても良い。また、伸縮袋体２をシリコーンゴムで構成する場合、突出部６０，６１をポリカーボネート等のより硬質な樹脂で形成しても良い。その場合、先の例と同様、突出部６０，６１を一体成形し、あるいは別に成形して伸縮袋体２に接着することもできる。さらに、突出部６０，６１は、噴射容器１ｃを載置する場所（この実施形態では、テーブルＧ）に保持するための保持部の一例に過ぎず、他の形態に代用可能である。
【００３７】
図６は、図５に示す噴射容器の変形例の斜視図（６Ａ）、その変形例をテーブル等に載置した状態の斜視図（６Ｂ）、当該変形例の噴射容器に封入物を充填した状態の斜視図（６Ｃ）およびその封入物を充填した変形例の噴射容器をテーブル等に載置した状態の斜視図（６Ｄ）を、それぞれ示す。
【００３８】
この変形例に係る噴射容器１ｄは、伸縮袋体２の側面においてその長さ方向に細長く形成される１本の突出部６５を備える。この実施形態では、突出部６５は、伸縮袋体２の中央部２２から閉塞部２３にかけて、伸縮袋体２の径方向外側に突出するように形成されている。突出部６５における中央部２２に存在する部位は、（６Ｄ）に示すように、主に、封入物３０を充填した噴射容器１ｄをテーブルＧに載置したときに、噴射容器１ｄが転がらないようにするための構成である。突出部６５は、中央部２２において、１つの成形体であっても、分離配置される２以上の成形体から成るものであっても良い。また、突出部６５の長さ、幅および厚さは、伸縮袋体２の伸縮設計に応じて適宜選択可能である。封入物３０を充填した状態の伸縮袋体２が蓋部材３よりもその径方向に膨張している場合、噴射容器１ｄを横向きにテーブルＧに載置すると、転がって、テーブルＧから落ちる可能性がある。しかし、中央部２２に突出部６５を形成すると、突出部６５の辺と、伸縮袋体２の中央部２２の側面上の辺とから平面を形成できる。この結果、噴射容器１ｄの転がりを防止することが可能になる。なお、突出部６５は、伸縮袋体２の周方向に複数本形成されていても良い。その方が噴射容器１ｄの転がりをより防止できる。
【００３９】
一方、突出部６５における閉塞部２３に存在する部位は、（６Ｂ）に示すように、主に、封入物３０を充填していない状態若しくは噴射し終えた状態の噴射容器１ｄをテーブルＧに載置したときに、噴射容器１ｄが転がらないようにするための構成である。突出部６５は、閉塞部２３において、１つの成形体であっても、分離配置される２以上の成形体から成るものであっても良い。また、突出部６５の長さ、幅および厚さは、伸縮袋体２の伸縮設計に応じて適宜選択可能である。伸縮袋体２が蓋部材３よりも小径の状態のときでも、噴射容器１ｄを横向きにテーブルＧに載置すると、転がって、テーブルＧから落ちる可能性がある。この場合、中央部２２に存在する突出部６５は、テーブルＧにほとんど接触せず、噴射容器１ｄの転がりを防止する機能を発揮し得ない場合がある。そこで、閉塞部２３の表面に突出部６５を形成すると、突出部６５の辺と、伸縮袋体２の閉塞部２３の側面上の辺若しくは点と、蓋部材３の任意の点とから平面を形成できる。この結果、噴射容器１ｄの転がりを防止することが可能になる。
【００４０】
＜第四実施形態＞
次に、本発明の第四実施形態に係る噴射容器について説明する。第四実施形態において、前述の各実施形態と共通する部分については、同じ符号を付し、重複した説明を省略する。
【００４１】
図７は、本発明の第四実施形態に係る噴射容器の斜視図（７Ａ）およびその噴射容器に封入物を充填した状態の斜視図（７Ｂ）を、それぞれ示す。
【００４２】
この実施形態に係る噴射容器１ｅは、噴射容器１ｅを載置する場所に保持するための保持部として、伸縮可能な三脚７０を備える。三脚７０は、好適には、蓋部材３の側面から伸縮袋体２の外側を囲み、その径方向外側に拡がるように形成されている。（７Ａ）に示すように、伸縮袋体２が収縮している状況では、三脚７０の各脚の下方に存在する可動部位７１は各脚の筒内に一部を収納した状態になっている。一方、（７Ｂ）に示すように、伸縮袋体２が膨張している状況では、三脚７０の可動部位７１は各脚から突出した状態になっている。すなわち、三脚７０の可動部位７１は、伸縮袋体２の膨張度合いに応じて、その突出長さを可変自在である。この実施形態では、可動部位７１は、筒状の各脚の内部に単に収納可能に構成されているが、バネ等の弾性部品を各脚に配置して、可動部位７１が弾性部品の弾性に抗して縮むように設計しても良い。三脚７０で形成される空間は、伸縮袋体２の最大限に膨張したときの体積を考慮し、伸縮袋体２の膨張を阻害しないように十分な大きさとするのが好ましい。また、三脚７０は、伸縮袋体２の中央部２２あるいは閉塞部２３に取り付けても良い。その場合、伸縮袋体２の周に沿って伸縮自在なゴム製のベルトに三脚７０を取り付けるのが好ましい。
【００４３】
＜第五実施形態＞
次に、本発明の第五実施形態に係る噴射容器について説明する。第五実施形態において、前述の各実施形態と共通する部分については、同じ符号を付し、重複した説明を省略する。
【００４４】
図８は、本発明の第五実施形態に係る噴射容器を図１の面Ｓと同様の面で縦に切断したときの縦断面斜視図（８Ａ）、８Ａに示す噴射容器の変形例を上記面で縦に切断したときの縦断面斜視図（８Ｂ）および８Ａに示す噴射容器のさらなる変形例を上記面で縦に切断したときの縦断面斜視図（８Ｃ）を、それぞれ示す。
【００４５】
（８Ａ）に示す噴射容器１ｆは、伸縮袋体２の内部に、芯材８０を備える。芯材８０は、その構成材料に限定なく、好適には、伸縮袋体２より硬質で伸縮性の低い材料から構成される。例えば、伸縮袋体２をゴムで形成する場合には、芯材８０をゴムより硬質な樹脂、金属あるいはセラミックスなどから構成するのが好ましい。芯材８０は、好適には、蓋部材３の裏側に固定され、その固定方法については何らの制約も無い。例えば、芯材８０の上部を蓋部材３の裏面に接着しても良い。また、芯材８０は、その一部を、蓋部材３の裏側にあるバルブ６の直下部位にねじ込む方法により、蓋部材３に固定しても良い。芯材８０を伸縮袋体２の内部に配置すると、伸縮袋体２が収縮したときの空間を、芯材８０の体積分だけ減らすことができるので、封入物３０の残量を減らすことができる。また、封入物３０が残り少なくなり、内圧と伸縮袋体２の弾性復帰力のみでは封入物３０を外部に噴射困難な場合には、伸縮袋体２の外側から芯材８０を握り、蓋部材３側に向かって伸縮袋体３を絞ることにより、残った封入物３０を外部に出すことができる。芯材８０が存在しない場合でも、そのような操作は可能であるが、伸縮袋体２の内部にそれより硬質な芯材８０が存在すれば、伸縮袋体２を折り畳むようなことをしなくても、封入物３０を外部に出しやすい。
【００４６】
芯材８０は、その上面から側面までを貫く貫通路８１を有する。貫通路８１は、外部と伸縮袋体２の内部との間をつなぐ経路である。外部からの封入物３０の充填および伸縮袋体２の内部から外部に封入物３０を噴射する際、貫通路８１は、封入物３０の通過する経路として機能する。貫通路８１は、芯材８０の上面から側面以外に、当該上面から底面まで貫く経路でも良い。ただし、芯材８０を伸縮袋体２の外部から握って封入物３０を蓋部材３側に強制的に送る場合、貫通路８１の開口部は、芯材８０の可能な限り上方の側面であるのが好ましい。封入物３０を強制的に送る川下側に近い部位に貫通路８１の入口を存在させる方が、外部に封入物３０を出しやすいからである。
【００４７】
（８Ｂ）に示す噴射容器１ｇは、その径方向内側に向かって環状若しくはスパイラル状に窪む１または複数の溝８６を持つ芯材８５を備えることもできる。芯材８５における溝８６以外の構成は、先に述べた芯材８０の構成と同一である。溝８６を芯材８５に形成すると、伸縮袋体２の外側から芯材８５を握りやすいというメリットがある。
【００４８】
（８Ｃ）に示す噴射容器１ｈは、伸縮袋体２の外側面に、環状若しくはスパイラル状の凸部８８を備える。凸部８８以外の噴射容器１ｈの構成は、先に述べた噴射容器１ｇと同一である。伸縮袋体２の外側面に凸部８８を形成すると、伸縮袋体２の外側から芯材８５をより握りやすくなるというメリットがある。
【００４９】
＜第六実施形態＞
次に、本発明の第六実施形態に係る噴射容器について説明する。第六実施形態において、前述の各実施形態と共通する部分については、同じ符号を付し、重複した説明を省略する。
【００５０】
図９は、本発明の第六実施形態に係る噴射容器の斜視図（９Ａ）およびその噴射容器に封入物を充填した状態の斜視図（９Ｂ）を、それぞれ示す。
【００５１】
この実施形態に係る噴射容器１ｉは、伸縮袋体２の表面に２種類の表示部９１，９２を備える。それら表示部９１，９２の１つは、伸縮袋体２の膨張時に視認容易な第一表示部９１であり、表示部９１，９２のもう１つは、伸縮袋体２の収縮時に第一表示部９１よりも視認容易な第二表示部９２である。第一表示部９１は、伸縮袋体２の収縮時にヒトの目で視認できても、あるいはできなくても良いが、第二表示部９２との相対評価において視認困難な表示部である。一方、第二表示部９２は、伸縮袋体２の膨張時にヒトの目で視認できても、あるいはできなくても良いが、第一表示部９１との相対評価において視認困難な表示部である。第一表示部９１と第二表示部９２は、伸縮袋体２の伸縮の程度に応じて視認容易性を互いに補完し合う複数の表示部に相当する。ただし、第一表示部９１と第二表示部９２は、伸縮袋体２の所定の膨張度において、両方視認できても良い。また、第一表示部９１および第二表示部９２の双方とも視認困難となる形態は、可能な限り避ける方が好ましい。
【００５２】
かかる２種類の表示部９１，９２を伸縮袋体２に備えるのは、商品や企業の情報を掲載するラベルを伸縮自在な容器に印刷あるいは貼付した場合、その伸縮の度合いにより、上記情報の視認性も変化するからである。上記のような２種類の表示部９１，９２を伸縮袋体２に備えると、封入物３０の充填量が変化して伸縮袋体２の大きさが変化しても、第一表示部９１または第二表示部９２の少なくともいずれか一方はヒトの目で視認容易となる。
【００５３】
図１０は、図９の噴射容器の変形例を図１の面Ｓと同様の面によって縦に切断したときの一部縦断面斜視図を示す。図１０では、芯材のみを切断せずに、その側面を表示している。
【００５４】
この変形例に係る噴射容器１ｊは、第五実施形態に係る噴射容器１ｆと同様の芯材８０を備える。噴射容器１ｊに備える芯材８０は、伸縮袋体２の外側から視認可能な内方表示部９５を備える。これによって、伸縮袋体２の表面に表示部を備えなくても、商品や企業の情報を、伸縮袋体２を通して確認可能となる。なお、芯材８０は、内方表示部９５を備える対象の一例に過ぎず、伸縮袋体２の内部に芯材８０を備えなくても良い。例えば、伸縮袋体２の内部に、商品等の情報を表した短冊を吊るし、当該短冊を、内方表示部９５を付す対象としても良い。
【００５５】
＜第七実施形態＞
次に、本発明の第七実施形態に係る噴射容器について説明する。第七実施形態において、前述の各実施形態と共通する部分については、同じ符号を付し、重複した説明を省略する。
【００５６】
図１１は、本発明の第七実施形態に係る噴射容器の外部に商品やメーカー等の情報を付与する各種形態（１１Ａ〜Ｄ）を示す。
【００５７】
この実施形態に係る噴射容器１ｋは、蓋部材３の上部にアクチュエーター５を備え、蓋部材の下方に伸縮袋体２を固定した容器である。伸縮袋体２は、その径方向にも長さ方向にも伸縮可能であるが、第一実施形態に係る伸縮袋体２と同様、伸縮袋体２の長さ方向の略中央部分の肉厚を大きく構成しており、主に、その長さ方向に伸縮容易に構成されている。
【００５８】
（１１Ａ）に示す噴射容器１ｋは、開放系のボックス１００に入れられている。ボックス１００は、紙、薄い樹脂板などから好適に構成されている。ボックス１００は、背面板の下方に、上方に開口する開口部１０２を備えた収納領域１０３を有する。噴射容器１ｋは、収納領域１０３に挿入される状態でボックス１００に入れられている。収納領域１０３は、その前面に、表示部（この実施形態では「ＡＢＣ」とする）１０５を有する。
【００５９】
（１１Ｂ）に示す噴射容器１ｋは、蓋部材３にクランク型の薄板１１０を取り付けて成る。薄板１１０は、紙、薄い樹脂板などから好適に構成されている。薄板１１０は、それを構成する略水平板に、貫通孔１１１を有する。噴射容器１ｋは、蓋部材３から上の部分を貫通孔１１１から露出するように、薄板１１０を取り付けている。薄板１１０は、噴射容器１ｋの伸縮袋体２の前面に位置する表板１１２を有する。表板１１２の前面には、表示部１０５を有する。
【００６０】
（１１Ｃ）に示す噴射容器１ｋは、前方に開口部を有する収納領域１２１を備えたボックス１２０に入れられている。ボックス１２０は、紙、薄い樹脂板などから好適に構成されている。ボックス１２０は、収納領域１２１の上方に、表示部１０５を有する。
【００６１】
（１１Ｄ）に示す噴射容器１ｋは、蓋部材３に取り付けられるリング１３１と、そのリング１３１に固定されるチェーン１３２と、チェーン１３２の先に取り付けられる札１３０とを備える。札１３０は、表示部１０５を有する。
【００６２】
このように、伸縮袋体２は、その中の封入物３０の充填量に応じて大きさを変えるが、表示部１０５は、伸縮袋体２自体に表示されていない。このため、伸縮袋体２の伸縮状態に関わらず、表示部１０５を容易に視認可能である。
【００６３】
＜その他の実施形態＞
以上、本発明の噴射容器の各実施形態について説明したが、本発明は、上記各実施形態に限定されず、種々の変形を施すことができる。
【００６４】
例えば、第二実施形態に係る噴射容器１ａ，１ｂは、キャップ４０のみ、あるいはキャップ４０と第二キャップ５０をそれぞれ備えるが、キャップを３つ以上備え、その一部を保持部として利用可能にしても良い。また、第六実施形態に係る噴射容器１ｉは、２種類の表示部９１，９２を備えるが、３種以上の視認性の異なる表示部を備え、伸縮袋体２の伸縮の程度に合わせて、それら表示部の情報の視認性を補完するようにしても良い。また、複数の表示部に表した情報は、必ずしも同一であることを要しない、第六実施形態を例に挙げると、第一表示部９１に表示される情報と、第二表示部９２に表示される情報とを完全に異なるように、あるいは一部異なるようにしても良い。
【００６５】
本発明の各実施形態は、互いに組み合わせることのできる範囲で、各構成部を組み合わせても良い。例えば、第五実施形態と第六実施形態とを組み合わせて、伸縮袋体２の表面に表示部９１，９２を備え、伸縮袋体２の内部に芯材８０あるいは芯材８６を備えても良い。また、第二実施形態と第五実施形態とを組み合わせて、キャップ４０を保持部として利用できるようにし、かつ伸縮袋体２の表面に表示部９１，９２を備えるようにしても良い。さらには、第二キャップ５０を保持部として利用できるようにし、かつ伸縮袋体２の表面に表示部９１，９２を備えるようにしても良い。また、第二実施形態と第三実施形態とを組み合わせて、伸縮袋体２の表面に突出部６０，６１を備え、かつ蓋部材３側にキャップ４０あるいは第二キャップ５０を備えても良い。これらは一例に過ぎず、各実施形態中の構成のあらゆる組み合わせが可能である。
【産業上の利用可能性】
【００６６】
本発明は、例えば、消火剤、防虫剤、殺虫剤、塗料、消臭剤、潤滑剤（例えば、防錆用のもの）、人体用消臭剤、制汗剤、医薬品、シェービングクリーム、ボディソープ、化粧料、食用油、液体調味料、頭髪用品、香水などを充填可能な容器として利用できる。
【符号の説明】
【００６７】
１，１ａ，１ｂ，１ｃ，１ｄ，１ｅ，１ｆ，１ｇ，１ｈ，１ｉ，１ｊ    噴射容器
２    伸縮袋体
３    蓋部材
６    バルブ
１０    台座（保持部の一例）
３０    封入物
４０    キャップ（保持部の一例）
５０    第二キャップ（保持部の一例）
６０，６１，６５    突出部（保持部の一例）
７０    三脚（保持部の一例）
８０，８５    芯材
９１    第一表示部（表示部の一つ）
９２    第二表示部（表示部の一つ）
９５    内方表示部
【図１】
2015020795.tif 000003
【図２】
2015020795.tif 000004
【図３】
2015020795.tif 000005
【図４】
2015020795.tif 000006
【図５】
2015020795.tif 000007
【図６】
2015020795.tif 000008
【図７】
2015020795.tif 000009
【図８】
2015020795.tif 000010
【図９】
2015020795.tif 000011
【図１０】
2015020795.tif 000012
【図１１】
2015020795.tif 000013